(57)【要約】【課題】  本発明は多様な形状に石を自在に組み合わせて台座への取り付けを容易にすることで、宝飾品の装飾性や鑑賞性が一層高められる実用的な複数石の装身具および宝飾用宝石の取付方法を提供することを目的とする。【解決手段】  宝飾品の製作に利用可能な複数石の取り付け方法の一様式であり、1個の主枠12とそれを取り囲む数個の小枠11とからなる台座10によって構成される。台座の外周上には隣り合う小枠11が接する位置で縦方向に伸びる支持片13が形成される。脇石20は各小枠11に1石ずつはめ込まれ、主枠12には1石の主石30がはめ込まれる。【選択図】      図１
2007037653.tif 000002
【特許請求の範囲】
【請求項１】
1個の主枠とそれを取り囲むように形成される複数の小枠から成る台座と、
前記小枠が接する前記台座の外周上の隣り合う位置に縦方向に伸びる支持片と、
前記主枠に取り付けられる主石と前記小枠に取り付けられる脇石との複数の宝石とを有することを特徴とする宝飾品。
【請求項２】
請求項１に記載の宝飾品において、前記主石のガードル外周寸法は前記脇石のガードル外周寸法よりも大きいことを特徴とする宝飾品。
【請求項３】
請求項１に記載の宝飾品において、前記台座は前記主枠とそれを取り囲むように円状に連なる複数の前記小枠から成り、各小枠の装飾面は前記主枠の装飾面よりも低く形成されていることを特徴とする宝飾品。
【請求項４】
請求項３に記載の宝飾品において、前記小枠および前記主枠の形状はそれぞれ対応する前記脇石および主石のパビリオンの形状に合致するように形成され、かつ前記主石及び脇石のガードル外周寸法は該主石の主枠及び脇石の小枠の受け溝における最長の対角線寸法よりも長く設定されていることを特徴とする宝飾品。
【請求項５】
請求項１に記載の宝飾品において、前記主枠の上方内側には突部が形成され、前記主石のパビリオン側には溝部が形成されており、前記突部が前記溝部に当接することにより、主石と主枠が嵌合し固定されることを特徴とする宝飾品。
【請求項６】
請求項１に記載の宝飾品において、前記脇石は対応する各小枠に配置され、支持片によって台座の外周側から狭持され、一方脇石の主枠外周に接する部分は上方からはめ込まれる主石のパビリオンの端部と重なり押し付けられていることを特徴とする宝飾品。
【請求項７】
1個の主枠とそれを取り囲むように形成される複数の小枠から成る台座と、前記小枠が接する前記台座の外周上の隣り合う位置に縦方向に伸びる支持片とを備え、前記主枠に主石を前記小枠に脇石を取り付ける宝飾用宝石の取付方法において、
前記各小枠にそれぞれ対応する前記脇石を配置し、
前記支持片によって前記台座の外周側から前記脇石を狭持し、
前記主石を前記主枠に上方から嵌め込み、前記脇石の前記主枠外周に接する部分を前記主石のパビリオンの端部と重なった状態で押し付けて固定することを特徴とする宝飾用宝石の取付方法。
【発明の詳細な説明】
【技術分野】
【０００１】
本発明はネックレスや指輪などの装身具に関し、特に小さな宝石を組み合わせることによって様々な形の大きな1つの石ように形成する宝飾品および宝飾用宝石の取付方法に関する。
【背景技術】
【０００２】
宝飾品は、それを身につける人を美しく引き立たせるものである。宝飾品の価値はその価格に反映されるが、価格以外にもデザインの新規性や装飾性が特に注目される。周知のように、宝飾品は例えばダイアモンドのような天然石にカッティングや研磨処理を施した装飾片を、金属加工した金や銀などの貴金属に、デザインに沿って取り付けることによって作り上げられる。多くの天然石の中でもダイアモンドは最も価値のある高級なものであり、ダイアモンドを用いた指輪やペンダントなどの装身具は優れたの装飾性を持っている。
【０００３】
通常、ダイアモンドの指輪やペンダントといえば、1石のダイアモンドを用いているものが多く、装飾性をさらに高めるために複数個のダイアモンドを組み合わせたものはあまり見られない。その理由として、ひとつにはダイアモンドのカッティングと台座の形成が技術的に困難であること、また従来の技術では主要なダイアモンドを固定するために特殊な装置が必要とされることがあげられる。
【発明の開示】
【発明が解決しようとする課題】
【０００４】
本発明はこのような従来技術の課題を解決し、特殊な装置を必要とせずに多様な形状に宝石を自在に組み合わせて台座への取り付けを可能とすることで、宝飾品の装飾性と価値を高めることができる宝飾品および宝飾品宝石の取付方法を提供することを目的とする。
【課題を解決するための手段】
【０００５】
本発明は上記課題を解決するための手段として、請求項１に記載された発明は、1個の主枠とそれを取り囲むように形成される複数の小枠から成る台座と、小枠が接する台座の外周上の隣り合う位置に縦方向に伸びる支持片と、主枠に取り付けられる主石と小枠に取り付けられる脇石との複数の宝石とを有する。また、請求項２に記載された発明は、請求項１に記載の宝飾品において、前記主石のガードル外周寸法は前記脇石のガードル外周寸法よりも大きいことを特徴とする。請求項３に記載された発明は、台座は主枠とそれを取り囲むように円状に連なる複数の小枠から成り、各小枠の装飾面は主枠の装飾面よりも低く形成されている。請求項４に記載された発明は、小枠および前記主枠の形状はそれぞれ対応する前記脇石および主石のパビリオンの形状に合致するように形成され、かつ前記主石及び脇石のガードル外周寸法は該主石の主枠及び脇石の小枠の受け溝における最長の対角線寸法よりも長く設定されている。
【０００６】
請求項５に記載された発明は、主枠の上方内側には突部が形成され、主石のパビリオン側には溝部が形成されており、突部が溝部に当接することにより、主石と主枠が嵌合し固定される。請求項６に記載された発明は、脇石は対応する各小枠に配置され、支持片によって台座の外周側から狭持され、一方脇石の主枠外周に接する部分は上方からはめ込まれる主石のパビリオンの端部と重なり押し付けられている。請求項７に記載された発明は、1個の主枠とそれを取り囲むように形成される複数の小枠から成る台座と、小枠が接する台座の外周上の隣り合う位置に縦方向に伸びる支持片とを備え、主枠に主石を小枠に脇石を取り付ける宝飾用宝石の取付方法において、各小枠にそれぞれ対応する脇石を配置し、支持片によって台座の外周側から脇石を狭持し、主石を主枠に上方から嵌め込み、脇石の主枠外周に接する部分を主石のパビリオンの端部と重なった状態で押し付けて固定する。
【発明の効果】
【０００７】
本発明は、宝飾品に石を嵌め込む方法に、独創的で調節可能なだけでなく装飾性や鑑賞性を高める効果をももたらすものである。また、主石と主枠の噛み合い機構により、主石を留めるための支持片を必要としない。さらに本発明によれば、中心に位置する主石の上面とそれを取り囲む脇石の上面がつながって見えるため、外観の美的効果が高められる。実際に、本発明の構造は簡易で組み合わせも容易であるという特徴を有し、石と台座を傷つけることなく嵌合することができる。従って、本発明は指輪やペンダント等あらゆる宝飾品の装身具に応用することができる。
【発明を実施するための最良の形態】
【０００８】
以下、本発明による装身具および宝飾用宝石の取付方法の実施の形態を図面を参照して説明する。
【０００９】
図1から図5は本発明による装身具および宝飾用宝石の取付方法の実施例１の形態を示したものである。これら図に示すように、実施例１では、台座10、脇石20、主石30から構成される宝飾品である。図1および図2に示す台座10は金または銀で形成される。
【００１０】
また、台座10は中央に1個の正方形の主枠12とそれを取り囲む4つの略楕円形の小枠11とからなり、連なる4つの小枠は台座10の円形の外周を構成する。小枠11の脇石20を取り付ける装飾面は主枠12の主石30を取り付ける装飾面より低くなっているため、石をはめ込むと主石30が脇石20より高くなる。
【００１１】
図3および図4に示すように、主枠12の内側の装飾面寄りには主石30を固定するための溝31に嵌合する突部121が設けられている。上記小枠11および主枠12の形状は、脇石20および主石30のパビリオン側の形状に合致するように形成することが可能であり、そのため多様な形状の石をはめ込むことができる。また、主石30および脇石20のガードル外周寸法はそれぞれ対応する主枠および小枠の受け溝における最長の対角線より長いので、嵌め込んだ石が外れたり脱落したりすることがない。
【００１２】
縦方向に設けられた支持片13はそれぞれの小枠11が隣り合う小枠11と接する位置に台座10の外周側から取り付けられている。上記支持片13は円柱もしくは三角柱のいずれかの形状を有し、審美性を損なうことなくしっかりと脇石20を台座10に固定することができる。
【００１３】
また、図1および図3に示すように、脇石20はそれぞれ対応する小枠11に据えられる。各脇石20のクラウン側は略台形に、パビリオン側は逆ピラミッド型に形成され、ガードルの主枠12に接する部分には垂直に研磨された平坦な小面になっている。それぞれの脇石20は対応する小枠11に配置され、支持片13によって台座10の外周側から狭持される。
【００１４】
一方、脇石20の主枠12の外周に接する部分は、上方からはめ込まれる主石30のパビリオンの端部と重なり押し付けられる。主石30はクラウン側が上方を水平に研磨された四角錐の形状を有し、台座10の主枠12に固定される。なお、主石30のガードル外周寸法は脇石20のガードル外周寸法より大きい。
【００１５】
さらに、図2および図3に示すように、主石30のパビリオン側に設けられた溝部31と主枠12の内側に形成された突部121が嵌合するように形成されており、それによって主石30を主枠12に取り付けることができる。しかも主石30の上方から見ても、上記のような方法で主枠12に嵌め込まれていることは分からない。
【００１６】
さらに、主石30のパビリオンのガードルに近い部分が4石の脇石20のクラウン端部に接している部分で脇石20を押し下げているため、脇石20が浮き上がることもない。図5は実施例1により主石30および脇石20を台座10に取り付けたときの概観を示す斜視図である。
【００１７】
実施例2は基本的な構造において実施例1と同様のものであるが、台座とそれに取り付ける石の形状を変えた場合の実施の形態である。図6および図7に示すように、台座210は円形の主枠212と、それを取り囲むように連なって台座210の外周を構成する6個の円形の小枠211から成る。小枠211の装飾面は主枠の装飾面より低くなっているため、石をはめ込むと主石230が脇石220より高くなる。
【００１８】
図6および図8に示すように、主枠212の内側の装飾面寄りには主石を固定するための突部2122が設けられている。縦方向に設けられた略三角形状の支持片214は、それぞれの小枠211が隣り合う小枠211と接する位置に台座の外側から取り付けられている。
【００１９】
図6および図8に示すように、それぞれの脇石220は対応する小枠211に嵌め込まれる。上記脇石220において、クラウン側は略台形に、パビリオン側は多角錐状に形成される。それぞれの脇石220は対応する小枠211に直接固定され、支持片214によって台座の外周側から狭持される。また、脇石220の主枠212に接する部分のクラウン側は上方から主石230のパビリオンの端部によって押さえつけられる。さらに主石230は主枠212に固定される。主石230のクラウン側は略台形に、パビリオン側は多角錐状に形成される。なお、主石230のガードル外周寸法は脇石220のガードル外周寸法より大きい。
【００２０】
図8に示すように、主石230のパビリオン側には溝部232が主枠212の突部2122と嵌合するように形成されており、それによって主石230を主枠212に取り付けることができる。さらに、主石230のパビリオンのガードルの端部が6個の脇石220のクラウンに接している部分で脇石220を押し下げているため、脇石220が浮き上がることもない。図9は実施例2により主石230および脇石220を台座210に取り付けたときの概観を示す斜視図である。
【図面の簡単な説明】
【００２１】
【図１】本発明による宝飾品の実施例１を一部分解した状態を示す斜視図である。
【図２】本発明による宝飾品の実施例１を一部分解した状態を示す側面図である。
【図３】本発明による宝飾品の実施例１の断面図である。
【図４】本発明による宝飾品の実施例１を別の角度から見た断面図である。
【図５】本発明による宝飾品の実施例１の全体の構造を斜め上から見たときの斜視図である。
【図６】本発明による宝飾品の実施例2を一部分解した状態を示す斜視図である。
【図７】本発明による宝飾品の実施例2を一部分解した状態を示す別の斜視図である。
【図８】本発明による宝飾品の実施例2の断面図である。
【図９】本発明による宝飾品の実施例2の宝飾品全体の構造を示す平面図である。
【符号の説明】
【００２２】
10,210    台座
11,211    小枠
12,212    主枠
13,214  支持片
20,220    脇石
30,230    主石
31,232  溝部
121,2122  突部
【図１】
2007037653.tif 000003
【図２】
2007037653.tif 000004
【図３】
2007037653.tif 000005
【図４】
2007037653.tif 000006
【図５】
2007037653.tif 000007
【図６】
2007037653.tif 000008
【図７】
2007037653.tif 000009
【図８】
2007037653.tif 000010
【図９】
2007037653.tif 000011